(57)【要約】【課題】圧縮機又はガスエンジン等の振動を伴う機器の振動を底板に伝達し難くする空気調和装置における支持構造を提供する。【解決手段】空気調和装置における支持構造５０は、ユニット本体１０の底板１２の支持台６０に、この支持台６０から側方に板状に浮いた状態で張り出す張り出し部７３を設け、この張り出し部７３に防振手段８０を介して圧縮機３１又はガスエンジン等の振動を伴う機器を支持する構成とする。【選択図】図８
2010144962.tif 000002
【特許請求の範囲】
【請求項１】
ユニット本体の底板の支持台に、この支持台から側方に板状に浮いた状態で張り出す張り出し部を設け、この張り出し部に防振手段を介して圧縮機又はガスエンジン等の振動を伴う機器を支持したことを特徴とする空気調和装置における支持構造。
【請求項２】
前記支持台上に上板を配置し、当該上板が前記張り出し部を備えたことを特徴とする空気調和装置における支持構造。
【請求項３】
前記張り出し部が前記支持台の脚片近傍に張り出すことを特徴とする請求項１又は２に記載の空気調和装置における支持構造。
【請求項４】
前記底板に凹所を設け、この凹所の上方に前記支持台から張り出す張り出し部が浮いた状態で張り出すことを特徴とする請求項１乃至３のいずれか一項に記載の空気調和装置における支持構造。
【発明の詳細な説明】
【技術分野】
【０００１】
本発明は、空気調和装置の圧縮機又はガスエンジン等の振動を伴う機器を支持する、空気調和装置における支持構造に関する。
【背景技術】
【０００２】
従来、空気調和装置においては、圧縮機の振動を抑制するため、圧縮機を振動プレート上に配置し、この振動プレートを、ゴム等の弾性材料からなる防振手段を介して空気調和装置の底板に固定する支持構造が用いられている（例えば、特許文献１参照）。
【特許文献１】特開平９−２２２２４５号公報
【発明の開示】
【発明が解決しようとする課題】
【０００３】
しかしながら、上記従来の支持構造では、防振効果に限界があり、圧縮機の振動が十分に吸収されずに底板に伝達されてしまうおそれがあった。
そこで、本発明の目的は、上述した従来の技術が有する課題を解消し、圧縮機又はガスエンジン等の振動を伴う機器の振動を底板に伝達し難くする空気調和装置における支持構造を提供することにある。
【課題を解決するための手段】
【０００４】
上記課題を解決するため、本発明の空気調和装置における支持構造は、ユニット本体の底板の支持台に、この支持台から側方に板状に浮いた状態で張り出す張り出し部を設け、この張り出し部に防振手段を介して圧縮機又はガスエンジン等の振動を伴う機器を支持したことを特徴とする。
上記構成によれば、板状に浮いた状態で張り出す張り出し部に機器の振動が伝達されるので、張り出し部が振動して機器の振動を減衰し、機器の振動を底板に伝達し難くできる。
【０００５】
上記構成において、前記支持台上に上板を配置し、当該上板が前記張り出し部を備えてもよい。
上記構成によれば、支持台上に上板を配置するだけで、簡単に張り出し部を設けることができる。また、支持台の上面が上板によって補強されるので、支持台の強度を向上させることが可能になる。
【０００６】
上記構成において、前記張り出し部が前記支持台の脚片近傍に張り出してもよい。
上記構成によれば、張り出し部近傍に位置する支持台が脚片によって支持されるので、張り出し部が振動しても、支持台に大きな曲げモーメントが作用することはない。このため、疲労による支持台の亀裂等の損傷を抑制し、支持台の寿命を長く維持することが可能であるとともに、曲げモーメントによる支持台の撓み振動及びこれによる騒音の発生を防止することが可能である。
【０００７】
上記構成において、前記底板に凹所を設け、この凹所の上方に前記支持台から張り出す張り出し部が浮いた状態で張り出してもよい。
上記構成によれば、凹所の上方に浮いた状態で張り出す張り出し部に機器の振動が伝達されるので、張り出し部が振動して機器の振動を減衰し、機器の振動を底板に伝達し難くできる。
【発明の効果】
【０００８】
本発明によれば、ユニット本体の底板の支持台に、この支持台から側方に板状に浮いた状態で張り出す張り出し部を設け、この張り出し部に防振手段を介して圧縮機又はガスエンジン等の振動を伴う機器を支持したことにより、板状に浮いた状態で張り出す張り出し部に機器の振動が伝達されるので、張り出し部が振動して機器の振動を減衰し、機器の振動を底板に伝達し難くできる。
【発明を実施するための最良の形態】
【０００９】
以下、図面を参照して本発明の好適な実施の形態について説明する。
〔第一の実施の形態〕
第一の実施の形態に係る支持構造が適用された空気調和装置は、室外ユニット（ユニット本体）１０と室内ユニット（不図示）とから構成されており、冷媒配管により接続された冷媒回路に冷媒を流して、冷房運転及び暖房運転を行う。室外ユニット１０は、室外に設置され、室外空気と熱交換して冷房運転時には冷媒を凝縮させて外気に熱を放出し、暖房運転時には冷媒を蒸発させて外気から熱を取り込むものである。なお、以下に述べる上下及び左右といった方向は、室外ユニット１０を設置した状態でその前面側から見た場合の方向を示している。
【００１０】
図１は、室外ユニット１０の斜視図であり、図２は、天板１３及び前面パネル１４を取り外した状態の室外ユニット１０の斜視図である。図３は、図２の正面図である。図４は、図２の平面図である。
室外ユニット１０は、図１に示すように、略直方体箱形状のユニットケース１１を備え、このユニットケース１１は、底板１２（図２参照）、天板１３、前面パネル１４、及び、外板１５を備えている。ユニットケース１１の内部は、図２に示すように、底板１２に立設された仕切り板１６によって縦に仕切られ、熱交換室Ｒ１と機械室Ｒ２とに分割されている。前面パネル１４は、熱交換室Ｒ１の前面を覆う熱交換室側前面パネル１４Ａと、機械室Ｒ２の前面を覆う機械室側前面パネル１４Ｂと、を備えており、各前面パネルを取り外すことによって、作業者が室外ユニット１０の前面側から熱交換室Ｒ１及び機械室Ｒ２内の部品のメンテナンス作業をできる構成となっている。
【００１１】
熱交換室Ｒ１には、図２〜図４に示すように、その背面側に熱交換器２１が収容され、その前面側に上下方向に並べて配置された送風機２２Ａ、２２Ｂが収容される。熱交換器２１は、図４に示すように、上面視略Ｌ字形状に屈曲されて形成され、熱交換室Ｒ１の左側面（外側面）から背面に沿って配置されている。このように、熱交換器２１は熱交換室Ｒ１の左側面及び背面を形成し、この左側面から背面にかけての露出面全体が通風路（吸込口）として機能する。また、本構成では、熱交換器２１の表面は、この熱交換器２１への人体などの接触を防止するため、樹脂性のネットなどからなるフィンガード（不図示）で覆われている。
【００１２】
送風機２２Ａ、２２Ｂは、図２〜図４に示すように、熱交換器２１に固定された左右一対の支柱２４Ｌ、２４Ｒに取り付けられている。送風機２２Ａは、図４に示すように、支柱２４Ｌ、２４Ｒに台座２５Ａを介して固定されたファンモータ２６Ａと、このファンモータ２６Ａの軸に取り付けられたプロペラファン（軸流ファン）２７Ａとから構成され、このプロペラファン２７Ａが熱交換室Ｒ１の前面側に配置される。また、図１に示すように、プロペラファン２７Ａの前部が、熱交換室Ｒ１の熱交換室側前面パネル１４Ａの上部に設けられた丸形フランジ形状のファン覆い部２８Ａ内に入り込んでいる。ファン覆い部２８Ａの開口部は、通風路（吹出口）として機能するものであり、プロペラファン２７への人体などの接触を防止するファンガード２９Ａで覆われている。なお、送風機２２Ｂは、上記支柱２４Ｌ、２４Ｒの下部に配置されるものであり、上記送風機２２Ａと略同一の構成を有するものであるため、この送風機２２Ａを構成する機器と同種の符号を付してその説明を省略する。
ファンモータ２６Ａ、２６Ｂによりプロペラファン２７Ａ、２７Ｂが回転駆動されると、室外ユニット１０の周囲、より具体的には、熱交換器２１の背面側及び左側面側から外気が熱交換室Ｒ１内に吸い込まれ、熱交換器２１の略前面を通過した後に、熱交換室Ｒ１前面のファン覆い部２８Ａ、２８Ｂを通って外に排出される。つまり、この室外ユニット１０は、前面から熱交換後の空気を吹き出す前面吹き出しタイプに構成されている。
【００１３】
また、図２に示すように、機械室Ｒ２には、圧縮機３１や、アキュムレータ３２、四方弁３３、膨張弁等の冷媒回路構成部品が配管接続され、当該機械室Ｒ２の空間内に収容される。圧縮機３１及びアキュムレータ３２には、これら機器が発する騒音を抑制するための防音材３９が、これら機器を囲むように取り付けられている。なお、図２では図示されていないが、圧縮機３１及びアキュムレータ３２を防音材３９によって囲んだときに上部に形成される開口は、他の防音材によって塞がれる。
また、図２及び図３に示すように、機械室Ｒ２の前面側における略中間位置には支持片３６が配置され、この支持片３６には、ガス管用サービスバルブ３７と液管用サービスバルブ３８とが固定されている。これらガス管用サービスバルブ３７及び液管用サービスバルブ３８には、室内ユニットから延びるユニット配管のガス管及び液管がそれぞれ接続され、これにより、冷媒を循環する冷媒回路が構成される。
また、機械室Ｒ２の上方空間には、空気調和装置を制御する制御基板などの各種電装品を配設した電装ボックス４０が配置されている。この電装ボックス４０は、仕切り板１６の上部に延在する第１支持板４１と、この第１支持板４１に取り付けられる第２支持板４２とを備えて構成され、これら第１支持板４１及び第２支持板４２に基板等の電装ユニットが配置されている。
【００１４】
仕切り板１６は、図２に示すように、熱交換室Ｒ１と機械室Ｒ２との間に配置されて当該熱交換室Ｒ１と機械室Ｒ２とを区分けする薄い板金の基板部１６Ａを備えると共に、この基板部１６Ａの４辺が機械室Ｒ２側に折り曲げられ、トレー形状に形成されている。このように、仕切り板１６は、薄い板金を上記トレー形状に折り曲げて形成することにより、剛性（強度）の向上を図っている。仕切り板１６は、この仕切り板１６の底辺を折り曲げて形成した下面部と底板１２とがねじ止めによって固定されることにより、底板１２に立設している。さらに、仕切り板１６の後方の辺を折り曲げて形成された背面部が、熱交換器２１の端部に設けられた管板３５にねじ止めによって固定されている。具体的には、熱交換器２１の図４中右側の端部には、管板３５が設けられており、この管板３５には、ユニットケース１１内側の側縁部を略Ｌ字形状に折り曲げたリブ３５Ａが形成され、このリブ３５Ａに仕切り板１６の背面部がねじ止めによって固定されている。
【００１５】
図５は、天板１３、前面パネル１４、及び外板１５を取り外した状態の室外ユニット１０を示す斜視図である。なお、図５では、圧縮機３１及びアキュムレータ３２以外の内部部品を省略している。
圧縮機３１は、略円柱状に形成されており、圧縮機３１の下部から側方に突出する複数（本実施の形態では、３つ）の脚３１Ａを備えている。アキュムレータ３２は、圧縮機３１よりも小径の円柱状に形成されており、取り付け具３２Ａ（図７参照）を介して圧縮機３１の外周面に固定されている。圧縮機３１は、支持構造５０によって底板１２に鉛直に搭載されている。支持構造５０は、底板１２上に配置される支持台６０と、支持台６０上に配置される上板７０とを備えて構成されている。
【００１６】
図６は、支持構造５０を示す分解斜視図である。
支持台６０は、例えば一枚の板金を折り曲げることにより形成されている。この支持台６０は、水平な台板６０Ａと、この台板６０Ａを支持する複数の脚部６１〜６６とを有して構成されている。脚部６１，６２は室外ユニット１０（図５参照）の前面側、脚部６３，６４は室外ユニット１０の右側面側、脚部５５は室外ユニット１０の背面側、脚部６６は室外ユニット１０の左側面側に位置している。各脚部６１〜６６は、側面視で略Ｌ字形状に屈曲されて、鉛直な脚柱（脚片）６１Ａ〜６６Ａと、水平な脚座６１Ｂ〜６６Ｂとを有している。脚座６１Ｂ，６４Ｂ，６５Ｂは、脚座６２Ｂ，６３Ｂ，６６Ｂよりも幅広に形成されており、各脚座６１Ｂ，６４Ｂ，６５Ｂには、支持台６０を底板１２に取り付けるための取り付け孔６７が形成されている。
【００１７】
台板６０Ａには、上板７０を取り付けるための取り付け孔６８が複数（本実施の形態では、３つ）形成されている。これら取り付け孔６８は、台板６０Ａの縁部、より詳細には、脚柱６１Ａ，６３Ａ，６５Ａの近傍に略等間隔に配置されている。
支持台６０は、板金加工により製造可能であるので、加工コストの増加を抑制できるとともに、脚柱、脚座、及び台板を別に形成する場合に比べ、部品点数を削減し、製造工程の簡略化を図れる。
【００１８】
上板７０は、弾性を有する一枚の板金を折り曲げることにより形成されている。上板７０の縁部は、全周に亘って上方に立ち上げられ、立ち上げ片７１を構成している。この立ち上げ片７１により、上板７０の周縁部の剛性が高くなるので、全体として上板７０の剛性が高くなり、上板７０が変形し難くなる。したがって、上板７０は、ある程度の弾性力を維持しつつ、圧縮機３１（図５参照）の重量（例えば、２０ｋｇ）及びその振動に対して十分な強度を有するように構成されている。
上板７０には、支持台６０の取り付け孔６８に対応する位置に、取り付け孔７２が形成されている。
【００１９】
上板７０は、支持台６０の台板６０Ａよりも大きく形成されており、支持台６０から側方に板状に浮いた状態で張り出す部分がそれぞれ張り出し部７３を構成している。各張り出し部７３は、圧縮機３１の脚３１Ａ（図５参照）を取り付け可能な大きさに形成されている。張り出し部７３は、弾性を有する板金で形成されるとともに、支持台６０から板状に浮いた状態で張り出しているので、上下に振動して圧縮機３１の振動を減衰する。張り出し部７３の弾性力は、張り出し部７３の幅や長さ、上板７０の厚さや材料、立ち上げ片７１の立ち上げ量等を加減することで、容易に調節が可能である。
各張り出し部７３には、圧縮機３１の脚３１Ａを取り付けるための取り付け孔７４が形成されている。各取り付け孔７４は、大孔７４Ａと、この大孔７４Ａを挟む一対の小孔７４Ｂとで構成されている。
【００２０】
図７は、天板１３、前面パネル１４、及び外板１５を取り外した状態の室外ユニット１０を示す平面図である。また、図８は、図７の室外ユニット１０を前面側から示す断面図であり、図９は、図７の室外ユニット１０を右側面側から示す断面図である。なお、図７〜図９では、圧縮機３１及びアキュムレータ３２以外の内部部品を省略している。
底板１２には、支持台６０の取り付け孔６７（図６参照）に対応する位置に、支持台６０を取り付けるための取り付け孔（不図示）が形成されている。支持台６０は、取り付け孔６７及び底板１２の取り付け孔にボルト６９Ａを挿通し、ボルト６９Ａをナット６９Ｂで締め付けることによって、底板１２に固定される。これら取り付け孔６７、底板１２の取り付け孔、ボルト６９Ａ、及びナット６９Ｂが支持台６０と底板１２との固定部となる。張り出し部７３は、支持台６０と底板１２との固定部の近傍に位置している。
【００２１】
上板７０は、取り付け孔７２（図６参照）及び取り付け孔６８（図６参照）にボルト７５Ａを挿通し、ボルト７５Ａをナット７５Ｂで締め付けることによって、台板６０Ａに固定される。本実施の形態の支持構造５０では、支持台６０上に上板７０を配置するだけで、簡単に張り出し部７３を設けることが可能である。また、上板７０より、支持台６０の台板６０Ａが補強されるので、支持台６０の強度を向上させることが可能である。
取り付け孔６８、取り付け孔７２、ボルト７５Ａ、及びナット７５Ｂが支持台６０と上板７０との固定部となる。張り出し部７３は、支持台６０と上板７０との固定部の近傍に位置している。
【００２２】
圧縮機３１の各脚３１Ａは、防振ゴム（防振手段）８０を介して張り出し部７３上に配置される。各脚３１Ａには、防振ゴム８０を取り付けるための貫通孔（不図示）が形成されている。
防振ゴム８０は、天然ゴムや合成ゴム等の弾性材料により形成されている。防振ゴム８０は、略円柱状に形成され、その中央部には上下に貫通する固定用孔（不図示）が形成されている。防振ゴム８０の下面には、固定用孔を挟む一対の突起８１が設けられている。防振ゴム８０の上部外周には、圧縮機３１の脚３１Ａを嵌め込むための溝（不図示）が形成されている。
【００２３】
圧縮機３１を支持構造５０に取り付ける際には、防振ゴム８０は、その突起８１が張り出し部７３の小孔７４Ｂにそれぞれ挿通するように配置される。圧縮機３１の脚３１Ａは、脚３１Ａの貫通孔を防振ゴム８０の溝に嵌め込み、ワッシャ３４Ａ、防振ゴム８０の固定用孔、及び上板７０の大孔７４Ａの順に挿通したボルト３４Ｂをナット３４Ｃで締め付けることにより、張り出し部７３に固定される。
各防振ゴム８０は、張り出し部７３に固定されるので、張り出し部７３を防振ゴム８０が配置可能な最小限の大きさに形成することにより、上板７０の材料を削減することが可能になる。
【００２４】
圧縮機３１は、空気調和装置が稼働することによって振動する。圧縮機３１の振動は、まず、圧縮機３１の脚３１Ａに取り付けられた防振ゴム８０で吸収され、防振ゴム８０で吸収できなかった圧縮機３１の振動が張り出し部７３に伝達される。そして、張り出し部７３は、上下に振動して圧縮機３１の振動を減衰し、圧縮機３１の振動を底板１２に伝達し難くできる。このとき、防振ゴム８０は、脚柱６１Ａ，６３Ａ，６５Ａよりも外側に配置されているので、圧縮機３１からの振動は張り出し部７３に直接伝達される。これにより、圧縮機３１の振動が減衰されずに底板１２に伝達されるのを防止し、防振効果をより向上することが可能になる。
【００２５】
張り出し部７３の近傍に位置する台板６０Ａは、脚柱６１Ａ〜６６Ａによって支持されているので、張り出し部７３が振動しても、台板６０Ａに大きな曲げモーメントが作用することはない。また、振動する張り出し部７３と支持台６０の固定部とが近接しているので、張り出し部７３が振動しても、支持台６０に大きな曲げモーメントが作用することはない。これにより、圧縮機３１を長期間運転しても、疲労による支持台６０の亀裂等の損傷を抑制し、支持台６０の寿命を長く維持することが可能であるとともに、曲げモーメントによる支持台６０の撓み振動及びこれによる騒音の発生を防止することが可能である。さらに、曲げモーメントによる支持台６０の撓み振動が防止されるので、ボルト６９Ａの緩みを抑制することが可能である。
【００２６】
支持台６０と上板７０との固定部は、脚柱６１Ａ，６３Ａ，６５Ａの近傍に配置され、張り出し部７３は、支持台６０と上板７０との固定部に近接しているので、上板７０の内張り出し部７３だけが振動する。これにより、張り出し部７３以外の上板７０の振動が抑制され、上板７０が台板６０Ａに衝突することによる騒音の発生を防止することが可能である。さらに、張り出し部７３以外の上板７０の振動が防止されるので、ボルト７５Ａの緩みも抑制することが可能になる。
本実施の形態では、圧縮機３１を支持構造５０で支持したことにより、圧縮機を防振ゴムで底板に直接固定する場合に比べ、騒音を約２．３ｄＢ低減することが可能である。
【００２７】
以上説明したように、本実施の形態によれば、室外ユニット１０の底板１２の支持台６０に、この支持台６０から側方に板状に浮いた状態で張り出す張り出し部７３を設け、この張り出し部７３に防振ゴム８０を介して振動を伴う圧縮機３１を支持した。これにより、板状に浮いた状態で張り出す張り出し部７３に圧縮機３１の振動が伝達されるので、張り出し部７３が振動して圧縮機３１の振動を減衰し、圧縮機３１の振動を底板１２に伝達し難くすることが可能になる。
【００２８】
また、上記実施の形態によれば、支持台６０上に上板７０を配置し、上板７０が張り出し部７３を備えたことにより、支持台６０上に上板７０を配置するだけで、簡単に張り出し部７３を設けることができる。また、支持台６０の台板６０Ａが上板７０によって補強されるので、支持台６０の強度を向上させることが可能になる。
【００２９】
さらに、上記実施の形態によれば、張り出し部７３が支持台６０の脚柱６１Ａ，６３Ａ，６５Ａ近傍に張り出している。これにより、張り出し部７３近傍に位置する支持台６０の台板６０Ａが脚柱６１Ａ，６３Ａ，６５Ａによって支持されるので、張り出し部７３が振動しても、台板６０Ａに大きな曲げモーメントが作用することはない。このため、疲労による支持台６０の亀裂等の損傷を抑制し、支持台６０の寿命を長く維持することが可能であるとともに、曲げモーメントによる支持台６０の撓み振動及びこれによる騒音の発生を防止することが可能である。
【００３０】
なお、本実施の形態では、本発明の支持構造５０を圧縮機３１に適用したが、本発明を適用する機器は圧縮機３１に限定されない。例えば、空気調和装置がガスエンジンの駆動によって圧縮機を駆動させるＧＨＰ（ガスヒートポンプ）式空気調和装置の場合には、本発明の支持構造を圧縮機に加え、ガスエンジンに適用してもよい。この場合、支持構造によってエンジンの振動が減衰され、エンジンの振動が底板に伝達するのを抑制することが可能になる。
【００３１】
〔第二の実施の形態〕
次に、図１０を参照して、第二の実施の形態に係る空気調和装置における支持構造１５０を説明する。なお、図１０では、図９に示す支持構造５０と同一部分には同一の符号を付して説明を省略する。
底板１１２には、板金を断面視で略凹状に折り曲げることにより、凹所１１２Ａが形成されている。この凹所１１２Ａによって底板１１２の剛性が高くなるので、底板１１２を圧縮機３１の重量及びその振動に対して十分な強度に増強することが可能になる。凹所１１２Ａは、底板１１２に複数、或いは連続的に形成されており、凹所１１２Ａで囲われた部分が支持台１６０となる。
【００３２】
支持台１６０は、上記台板６０Ａと、台板６０Ａから下方に延びる複数の脚柱６１Ａ〜６６Ａとを有している。支持台１６０は、板金加工により底板１１２と一体に製造可能であるので、加工コストの増加を抑制できるとともに、支持台及び底板を別に形成する場合に比べ、部品点数を削減し、製造工程の簡略化を図れる。
第二の実施の形態に係る支持構造１５０は、支持台１６０と、この支持台６０上に配置される上記上板７０とを備えて構成されている。支持構造１５０は、脚柱６１Ａ〜６６Ａが底板１１２と一体に形成される他は、図５〜図９に示す支持構造５０と同様に構成されている。
【００３３】
圧縮機３１の振動は、凹所１１２Ａの上方に浮いた状態で張り出す張り出し部７３に伝達されるので、張り出し部７３が振動して圧縮機３１の振動を減衰し、圧縮機３１の振動を底板１１２に伝達し難くできる。振動する張り出し部７３の近傍には、底板１１２と一体に形成される脚柱６１Ａ，６３Ａ，６５Ａが位置するので、張り出し部７３が振動しても、支持台６０に大きな曲げモーメントが作用することはない。これにより、圧縮機３１を長期間運転しても、疲労による支持台６０の亀裂等の損傷を抑制し、支持台６０の寿命を長く維持することが可能であるとともに、曲げモーメントによる支持台６０の撓み振動及びこれによる騒音の発生を防止することが可能である。
【００３４】
このように、本実施の形態によれば、底板１１２に凹所１１２Ａを設け、この凹所１１２Ａの上方に支持台６０から張り出す張り出し部７３が浮いた状態で張り出している。これにより、凹所１１２Ａの上方に浮いた状態で張り出す張り出し部７３に圧縮機３１の振動が伝達されるので、張り出し部７３が振動して圧縮機３１の振動を減衰し、圧縮機３１の振動を底板１１２に伝達し難くできる。
【図面の簡単な説明】
【００３５】
【図１】本発明の第一の実施の形態に係る支持構造を適用した室外ユニットを示す図である。
【図２】天板及び前面パネルを取り外した状態の室外ユニットの斜視図である。
【図３】図２の正面図である。
【図４】図２の平面図である。
【図５】天板、前面パネル、及び外板を取り外した状態の室外ユニットを示す斜視図である。
【図６】支持構造を示す分解斜視図である。
【図７】天板、前面パネル、及び外板を取り外した状態の室外ユニットを示す平面図である。
【図８】図７の室外ユニットを前面側から示す断面図である。
【図９】図７の室外ユニットを右側面側から示す断面図である。
【図１０】本発明の第二の実施形態に係る支持構造及びその近傍を示す断面図である。
【符号の説明】
【００３６】
１０  室外ユニット（ユニット本体）
１２  底板
３１  圧縮機
５０  支持構造
６０  支持台
６１Ａ〜６６Ａ  脚柱（脚片）
７０  上板
７３  張り出し部
８０  防振ゴム（防振手段）
１１２  底板
１１２Ａ  凹所
１５０  支持構造
１６０  支持台
【図１】
2010144962.tif 000003
【図２】
2010144962.tif 000004
【図３】
2010144962.tif 000005
【図４】
2010144962.tif 000006
【図５】
2010144962.tif 000007
【図６】
2010144962.tif 000008
【図７】
2010144962.tif 000009
【図８】
2010144962.tif 000010
【図９】
2010144962.tif 000011
【図１０】
2010144962.tif 000012